(57)【要約】【課題】切粉の飛散や刃物の破損を防止して、石膏ボードの上下面に正確に切込みを形成できる石膏ボード切込機を提供する。【解決手段】テーブル１が設けられた機枠２と、上下一対の固定型の切込刃物３，３と、切込刃物３，３を、石膏ボードＢの面方向に移動させる移動手段４とを備え、下方の切込刃物３の先端切刃３ｄは、テーブル１の上面から石膏ボードＢの厚さより小さく突出しており、上方の切込刃物３の先端切刃３ｄは、石膏ボードＢの上面より下方に位置し、かつ、下方の切込刃物３の先端切刃３ｄから上方に離間しているので、切込刃物３，３の先端切刃３ｄ，３ｄが石膏ボードＢの上下面に切り込んで行くので、切粉の飛散や刃物の破損を防止して、石膏ボードＢの上下面に正確に切込みを形成できる。【選択図】図２
2010207995.tif 000002
【特許請求の範囲】
【請求項１】
石膏ボードに切断用切込みを入れる石膏ボード切込機であって、
前記石膏ボードが載置されるテーブルが設けられた機枠と、
上下に離間して設けられた上下一対の固定型の切込刃物と、
この上下一対の切込刃物または前記テーブルに載置された石膏ボードを、この石膏ボードの面方向に移動させる移動手段とを備え、
下方の前記切込刃物の先端切刃は、前記テーブルの上面からこの上面に載置された前記石膏ボードの厚さより小さく突出しており、
上方の前記切込刃物の先端切刃は、前記テーブルに載置される前記石膏ボードの上面より下方に位置し、かつ、下方の前記切込刃物の先端切刃から上方に離間していることを特徴とする石膏ボード切込機。 
【請求項２】
請求項１に記載の石膏ボード切込機において、
前記切込刃物は、カッター刃を取替え可能な替刃式カッターナイフであることを特徴とする石膏ボード切込機。 
【請求項３】
請求項２に記載の石膏ボード切込機において、
上方の前記替刃式カッターナイフの先端切刃は、前記石膏ボードの上面に対して４５度傾斜しており、下方の前記替刃式カッターナイフの先端切刃は、前記石膏ボードの下面に対して４５度傾斜していることを特徴とする石膏ボード切込機。 
【請求項４】
請求項１〜３のいずれか一項に記載の石膏ボード切込機において、
前記移動手段は、前記上下一対の切込刃物を移動させるものであって、前記上下一対の切込刃物が取り付けられて、前記石膏ボードの面方向に移動可能な移動体と、前記機枠に前記移動体の移動方向と平行に固定されて、前記移動体が摺動可能に係合するガイドレールとを備えていることを特徴とする石膏ボード切込機。 
【請求項５】
請求項１〜３のいずれか一項に記載の石膏ボード切込機において、
前記移動手段は、前記テーブルに載置された前記石膏ボードを移動させるものであって、前記テーブルの上方に配置されて、前記石膏ボードに回転しながら接触することによって該石膏ボードを移動させる搬送ローラを備えた搬送部と、この搬送部を支持して前記機枠に固定される支持部とを備えていることを特徴とする石膏ボード切込機。 
【請求項６】
請求項１〜５のいずれか一項に記載の石膏ボード切込機において、
前記テーブルに、このテーブルに載置される前記石膏ボードの、前記切込切刃または前記石膏ボードの移動方向と直交する方向における位置決めを行う位置決め手段が設けられていることを特徴とする石膏ボード切込機。
【発明の詳細な説明】
【技術分野】
【０００１】
本発明は、石膏ボードを折って切断する際に該石膏ボードに切断用の切込みを入れる石膏ボード切込機に関する。
【背景技術】
【０００２】
住宅等の建物の内装材として使用される石膏ボードは、工場等において、ランニングソ−やパネルソー等の切断機によってプレカットされる。このような切断機の刃物としては丸鋸が一般に用いられることから、石膏ボードの切断に際して、大量の切粉が発生する。このため、集塵機が必要となり、設備費用が増大するだけでなく、集塵機の設置スペースも確保しなければならなかった。
このため、切粉の発生が少なくした石膏ボード切断機の一例として特許文献に記載のものが知られている。
【０００３】
この石膏ボード切断機は、石膏ボードを設置する設置台と、この設置台に設置された石膏ボードを切断する切断部とを備え、切断部は、石膏ボードに対して一定の深さの切れ込みを入れる第１カッターと、この第１カッターによる切り残し部分を切り取る第２カッターとを備えており、前記第１カッターは、石膏ボードを挟むようにして上下方向に間隔をあけて配置された上下一対の円形刃からなり、第２カッターは、石膏ボードの上側又は下側のいずれか一方に配置された円形刃からなるものである。
このような石膏ボード切断機では、第１カッター及び第２カッターを使用して、石膏ボードを２段階に切断するので、ランニングソーやパネルソーを使用する従来と比べて、切粉の発生が少なくなり、集塵機を不要として設備費用の低減及び設置スペースの縮小を実現することができる。しかも、集塵機を使用しないことから、騒音も抑えることが出来る。
【先行技術文献】
【特許文献】
【０００４】
【特許文献１】特開２００１−１２１５３０号公報
【発明の概要】
【発明が解決しようとする課題】
【０００５】
しかしながら、前記従来の石膏ボード切断機では、ランニングソーやパネルソーを使用する場合に比して、切粉の発生量を抑えることができるが、第１カッターおよび第２カッターのいずれも回転する円形刃であるので、円形刃の回転によって切粉が飛散してしまうという問題がある。
また、切粉を少なく抑えるには円形刃を薄くすればよいが、円形刃を薄くするほど、円形刃は回転によって破損し易くなる。つまり、円形刃に少しでも回転振れが生じると、この円形刃を石膏ボードに切り込んだ際に、円形刃が破損し易くなる。
【０００６】
このため、石膏ボードを回転しない固定型の刃物で切断できれば、切粉の飛散や刃物の破損を防止できるが、石膏ボードは例えば１２〜１３ｍｍ程度の厚さがあるので、石膏ボードを固定型の刃物で切断するには、石膏ボードに刃物を繰り返して切り込む必要があり、手間がかかる。
そこで、本発明者等が鋭意研究したところ、石膏ボードの表裏両面（上下面）に、それぞれ所定深さだけ切込みを入れたうえで石膏ボードを折ると、切込みから綺麗に切断できることが分った。
【０００７】
本発明は上記事情に鑑みてなされたもので、切粉の飛散や刃物の破損を防止して、石膏ボードの上下面に正確に切込みを形成できる石膏ボード切込機を提供することを課題としている。
【課題を解決するための手段】
【０００８】
上記課題を解決するために、請求項１に記載の発明は、例えば、図１〜図７（図８〜図１１）に示すように、石膏ボードＢに切断用切込みを入れる石膏ボード切込機であって、
前記石膏ボードＢが載置されるテーブル１（２１）が設けられた機枠２（２２）と、
上下に離間して設けられた上下一対の固定型の切込刃物３，３と、
この上下一対の切込刃物３，３または前記テーブル（２１）に載置された石膏ボード（Ｂ）を、この石膏ボードＢの面方向に移動させる移動手段４（２３）とを備え、
下方の前記切込刃物３の先端切刃３ｄは、前記テーブル１（２１）の上面からこの上面に載置された前記石膏ボードＢの厚さより小さく突出しており、
上方の前記切込刃物３の先端切刃３ｄは、前記テーブル１（２１）に載置される前記石膏ボードＢの上面より下方に位置し、かつ、下方の前記切込刃物３の先端切刃３ｄから上方に離間していることを特徴とする
【０００９】
請求項１に記載の発明によれば、下方の切込刃物３の先端切刃３ｄがテーブル１（２１）の上面から石膏ボードＢの厚さより小さく突出しており、上方の切込刃物３の先端切刃３ｄが、石膏ボードＢの上面より下方に位置し、かつ、下方の切込刃物３の先端切刃３ｄから上方に離間しているので、テーブル１（２１）の上面に石膏ボードＢを載置したうえで、移動手段４（２３）によって、上下一対の切込刃物３，３または石膏ボード（Ｂ）を移動させると、上下一対の切込刃物３，３のそれぞれの先端切刃３ｄ，３ｄが石膏ボードＢの上面と下面に切り込んで行くので、切粉の飛散や刃物の破損を防止して、石膏ボードＢの上下面に正確に切込みを形成できる。
なお、切込みが形成された石膏ボードＢはテーブル１（２１）上で折ることによって、切込みから綺麗に切断される。
【００１０】
請求項２に記載の発明は、請求項１に記載の石膏ボード切込機において、前記切込刃物３は、カッター刃３ｂを取替え可能な替刃式カッターナイフ３であることを特徴とする。
【００１１】
請求項２に記載の発明によれば、切込刃物３が替刃式カッターナイフ３であるので、切込刃物３が摩耗しても、カッター刃３ｂを簡単に取り替えることができる。
【００１２】
請求項３に記載の発明は、請求項２に記載の石膏ボード切込機において、
上方の前記替刃式カッターナイフ３の先端切刃３ｄは、前記石膏ボードＢの上面に対して４５度傾斜しており、下方の前記替刃式カッターナイフ３の先端切刃３ｄは、前記石膏ボードＢの下面に対して４５度傾斜していることを特徴とする。
【００１３】
請求項３に記載の発明によれば、上下一対の替刃式カッターナイフ３，３のそれぞれの先端切刃３ｄ，３ｄが石膏ボードＢの上下面に対してそれぞれ４５度傾斜しているので、石膏ボードＢに切込み易くなり、容易に切込みを形成できる。
【００１４】
請求項４に記載の発明は、例えば、図１〜図７に示すように、請求項１〜３のいずれか一項に記載の石膏ボード切込機において、
前記移動手段４は、前記上下一対の切込刃物３，３を移動させるものであって、前記上下一対の切込刃物３，３が取り付けられて、前記石膏ボードＢの面方向に移動可能な移動体５と、前記機枠２に前記移動体５の移動方向と平行に固定されて、前記移動体５が摺動可能に係合するガイドレール１０とを備えていることを特徴とする
【００１５】
請求項４に記載の発明によれば、上下一対の切込刃物３，３が取り付けられた移動体５が、機枠２に固定されたガイドレール１０に摺動可能に係合しているので、上下一対の切込刃物３，３はガイドレール１０に沿ってスムーズにかつ一体的に移動する。したがって、石膏ボードＢに容易かつ正確に切込みを形成できる。
【００１６】
請求項５に記載の発明は、例えば、図８〜図１１に示すように、請求項１〜３のいずれか一項に記載の石膏ボード切込機において、
前記移動手段２３は、前記テーブル２１に載置された前記石膏ボードＢを移動させるものであって、前記テーブル２１の上方に配置されて、前記石膏ボードＢの上面に回転しながら接触することによって該石膏ボードＢを移動させる搬送ローラ３０ｂを備えた搬送部３０と、この搬送部３０を支持して前記機枠２２に固定される支持部３１とを備えていることを特徴とする。
【００１７】
請求項５に記載の発明によれば、搬送ローラ３０ｂを回転させることによって、石膏ボードＢが移動するので、この石膏ボードＢの上下面に上下一対の切込刃物３，３の先端切刃３ｄ，３ｄによって切込みを容易かつ正確に形成できる。
【００１８】
請求項６に記載の発明は、例えば図１（図８）に示すように、請求項１〜５のいずれか一項に記載の石膏ボード切込機において、
前記テーブル１（２１）に、このテーブル１（２１）に載置される前記石膏ボードＢの、前記切込切刃３，３または前記石膏ボード（Ｂ）の移動方向と直交する方向における位置決めを行う位置決め手段１５（３５）が設けられていることを特徴とする。
【００１９】
請求項６に記載の発明によれば、位置決め手段１５（３５）によって、前記切込切刃３，３または前記石膏ボード（Ｂ）の移動方向と直交する方向における前記石膏ボードＢの位置決めを行えるので、上下一対の切込刃物３，３の先端切刃３ｄ，３ｄによって石膏ボードＢの上下面の所定の位置に切込みを形成できる。
【発明の効果】
【００２０】
本発明によれば、石膏ボードが載置されるテーブルが設けられた機枠と、
上下に離間して設けられた一対の固定型の切込刃物と、この一対の切込刃物または前記テーブルに載置された石膏ボードを、この石膏ボードの面方向に移動させる移動手段とを備え、下方の前記切込刃物の先端切刃は、前記テーブルの上面からこの上面に載置された前記石膏ボードの厚さより小さく突出しており、上方の前記切込刃物の先端切刃は、前記テーブルに載置される前記石膏ボードの上面より下方に位置し、かつ、下方の前記切込刃物の先端切刃から上方に離間しているので、テーブルの上面に石膏ボードを載置したうえで、移動手段によって、一対の切込刃物または石膏ボードを移動させると、上下の切込刃物のそれぞれの先端切刃が石膏ボードの上面と下面に切り込んで行くので、切粉の飛散や刃物の破損を防止して、石膏ボードの上下面に正確に切込みを形成できる。
【図面の簡単な説明】
【００２１】
【図１】本発明に係る石膏ボード切込機の一例を示すもので、その平面図である。
【図２】同、正面図である。
【図３】同、側面図である。
【図４】同、（ａ）は移動手段の側面図、（ｂ）は移動手段の正面図、（ｃ）は移動手段の平面図である。
【図５】同、上下一対の切込刃物を示す斜視図である。
【図６】同、上下一対の切込刃物とガイドレールを示す斜視図である。
【図７】同、上下一対の切込刃物の先端切刃を示す拡大図である。
【図８】本発明に係る石膏ボード切込機の他の例を示すもので、その平面図である。
【図９】同、正面図である。
【図１０】同、側面図である。
【図１１】同、上下一対の切込刃物を示す斜視図である。
【発明を実施するための形態】
【００２２】
以下図面を参照して本発明の実施の形態について説明する。
（第１の実施の形態）
図１〜図６は本発明に係る石膏ボード切込機の第１の実施の形態を示すものである。本実施の形態の石膏ボード切込機は、手動によって石膏ボードＢに切込みを形成するものであり、石膏ボードＢが載置されるテーブル１が設けられた機枠２と、上下に離間して設けられた一対の固定型の切込刃物３，３と、この一対の切込刃物３，３を、前記テーブル１に載置された前記石膏ボードＢの面方向に移動させる移動手段４とを備えている。
【００２３】
テーブル１は矩形板状に形成されており、その上面を水平にして機枠２に固定されている。テーブル１の長手方向ほぼ中央部には、隙間Ｓが設けられている。石膏ボードＢに切込みを形成する場合、前記隙間Ｓを跨ぐようにして、石膏ボードＢがテーブル１の上面に載置されるようになっている。
【００２４】
前記切込刃物３は、替刃式カッターナイフ３で構成されている。この替刃式カッターナイフ３は、図５および図６に示すように、長尺なホルダー３ａと、このホルダー３ａに進退可能に収納されて、先端に先端切刃３ｄを有するカッター刃３ｂと、このカッター刃３ｂに取り付けられてカッター刃３ｂをホルダー３ａに対して進退させる操作部３ｃとを備えている。
ホルダー３ａには噛合い歯がカッター刃３ｂの進退方向に所定ピッチで形成されており、前記操作部３ｃには前記噛合い歯に噛合する噛合部が形成されている。この噛合部はカッター刃３ｂの進退方向と直交する方向に出没可能であり、突出する方向に弾性的に付勢されている。そして、この噛合部が弾性的に突出して前記噛合い歯に噛合することで、カッター刃３ｂはその長手方向の所定の位置で係止され、操作部３ｃを指で操作してカッター刃３ｂの長手方向にスライドさせることで、噛合部が出没しながら噛合い歯に噛合していくことで、カッター刃３ｂが進退するようになっている。
また、カッター刃３ｂは、その長手方向に所定ピッチで折れ溝が形成されており、折れ溝で折ることによって、先端に新しい先端切刃が３ｄが形成されるようになっている。
【００２５】
前記移動手段４は、前記一対の切込刃物３，３が取り付けられて、前記石膏ボードＢの面方向（本実施の形態では、石膏ボードＢの幅方向）に移動可能な移動体５と、前記機枠２に前記移動体５の移動方向と平行に固定されて、移動体５が摺動可能に係合するガイドレール１０とを備えている。
移動体５は、上下一対の切込刃物３，３が取り付けられた上下一対の取付部６，６と、該一対の取付部６，６を連結する連結部７とを備えている。
取付部６，６はテーブル１の上下にそれぞれ配置されており、各取付部６は基板６ａとこの基板６ａに設けられた取付板６ｂとを備えており、取付板６ｂの表面が取付面とされ、該取付面が鉛直面と平行になるようにして配置されている。この取付面には切込刃物３のホルダー３ａが水平面に対して４５度傾斜するようにして固定されている。言い換えれば、図７に示すように、切込刃物（替刃式カッターナイフ）３は、その先端切刃３ｄがテーブル１の上面に水平に載置された石膏ボードＢの表面（上面、下面）に対して４５度傾斜するようにして、取付板６ｂの取付面に固定されている。上下一対の取付部６，６の取付面にそれぞれ固定された切込刃物３，３は、該切込刃物３，３の間にある仮想水平面に対して対称的に配置されており、上方の切込刃物３先端切刃３ｄは石膏ボードＢの上面に対して半時計回りに４５度傾斜しており、下方の切込刃物３の先端切刃３ｄは石膏ボードＢの下面に対して時計回りに４５度傾斜している。
【００２６】
下方の切込刃物３の先端切刃３ｄは、テーブル１の上面からこの上面に載置された石膏ボードＢの厚さより小さく突出しており、上方の切込刃物３の先端切刃３ｄは、石膏ボードＢの上面より下方に位置し、かつ、下方の切込刃物３の先端切刃３ｄから上方に離間している。
例えば、厚さが１２．５ｍｍの石膏ボードＢの場合、下方の切込刃物３の先端切刃３ｄはテーブル１の上面から４ｍｍ突出しており、上方の切込刃物３の先端切刃３ｄは、石膏ボードＢの上面より４ｍｍ下方に位置し、かつ、下方の切込刃物３の先端切刃３ｄから上方に４．５ｍｍ離間している。
【００２７】
前記連結部７は、図３および図４に示すように、上下に離間して平行に配置された上下一対のアーム７ａ，７ａと、このアーム７ａ，７ａの一端部を連結する縦長の連結フレーム７ｂと、上のアーム７ａに立設されて、手で掴まれる操作部７ｃとを備えている。上下一対のアーム７ａ，７ａの先端部には、前記取付部６，６の基板６ａ，６ａが取り付けられている。
また、取付部６，６はガイドレール１０，１０に摺動可能に係合している。すなわち、取付部６の基板６ａの裏面にはスライダ６ｃが設けられており、このスライダ６ｃがガイドレール１０に摺動可能に係合している。また、取付部６の取付板６ｂには上下に長尺な長孔６ｄ，６ｄが平行に形成されており、この長孔６ｄ，６ｄにはボルト１１が挿通され、このボルト１１は基板６ａに形成されたねじ穴にねじ込まれている。そして、このボルト１１を締め付けることによって、取付板６ｂが基板６ａに固定され、ボルト１１を緩めることによって、取付板６ｂは上下に移動可能であり、これによって、切込刃物（替刃式カッターナイフ）３の上下の位置を調整可能となっている。
【００２８】
前記ガイドレール１０，１０は移動体５の移動方向と平行に、かつ上下に離間して配置されており、連結板１２，１２に取り付けられている。これによって、ガイドレール１０，１０は上下に平行に配置された状態で保持されている。
そして、この連結板１２，１２が固定板１３に取り付けられており、この固定板１３が機枠２に固定されている。つまり、ガイドレール１０，１０は連結板１２，１２、固定板１３を介して、機枠２に固定されている。
【００２９】
また、前記テーブル１には、このテーブル１に載置される石膏ボードＢの、前記移動体５の移動方向と直交する方向における位置決めを行う位置決め手段１５が設けられている。
すなわち、図１に示すように、テーブル１の一方の縁部には、位置決め手段１５がテーブル１の長手方向（移動体５の移動方向と直交する方向）に所定間隔で複数形成されている。
位置決め手段１５は、テーブル１の一方の縁部に形成された取付溝１５ａと、この取付溝１５ａに取り外し可能に取り付けられた位置決め板１５ｂとによって構成されている。そして、取付溝１５ａには、位置決め板１５ｂが差し込まれて固定されるようになっている。位置決め板１５ｂはテーブル１の上面から突出しており、テーブル１の上面に載置された石膏ボードＢの端部が当接されることによって、石膏ボードＢの、移動体５の移動方向と直交する方向（石膏ボードＢの長手方向）における位置決めを行うようになっている。
また、テーブル１の縁部には、定規部１６が設けられている。この定規部１６はテーブル１の長手方向に長尺な帯板状のものであり、テーブル１から突出している。そして、この定規部１６に石膏ボードＢの一方の側端面を当接することによって、該石膏ボードＢの幅方向の位置決めを行うようになっている。なお、前記位置決め手段１５の取付溝１５ａは前記定規部１６に形成されている。
【００３０】
次に上記構成の石膏ボード切込機によって、厚さ１２．５ｍｍの石膏ボードＢに切込みを入れる方法について説明する。
まず、上下の切込刃物３の上下の位置を調整する。すなわち、下方の切込刃物３の先端切刃３ｄをテーブル１の上面から４ｍｍ突出させ、上方の切込刃物３の先端切刃３ｄを下方の切込刃物３の先端切刃３ｄから上方に４．５ｍｍ離間させる。この場合、切込刃物３のホルダー３ａの先端からのカッター刃３ｂの突出量を操作部３ｃをスライドさせることによって行う。
【００３１】
次に、所定の取付溝１５ａに位置決め板１５ｂを差し込んで固定した後、石膏ボードＢをテーブル１の上面に載置するとともに、該石膏ボードＢの端面を前記位置決め板１５ｂに当接するとともに石膏ボードＢの側端面を定規部１６に当接する。これによって、石膏ボードＢのテーブル１の長手方向（石膏ボードＢの長さ方向）と短手方向（石膏ボードＢの幅方向）における位置決めを行う。これによって、石膏ボードＢはテーブル１に設けられた隙間Ｓを跨ぐようにしてテーブル１の上面に載置される。
なお、石膏ボードＢをテーブル１の上面に載置する場合、切込刃物（替刃式カッターナイフ）３が、テーブル１の上面に載置された石膏ボードＢより外側に位置するまで、移動体５を図３において左側に引き込み、上下のガイドレール１０，１０間に石膏ボードＢを入れるようにしてテーブル１の上面に載置する。
【００３２】
次に、移動体５の操作部７ｃを掴んで、移動体５を石膏ボードＢ側に向けて移動させることによって、移動体５に設けられている上下の切込刃物３，３の先端切刃３ｄ，３ｄを石膏ボードＢの一方の側端面から切込み、さらに移動体５を移動させながら石膏ボードＢに切り込んでいく。すると、図７に示すように、先端切刃３ｄ，３ｄによって石膏ボードＢの上下面に深さ４ｍｍでかつ、石膏ボードＢの幅方向全体に延在する切込みＫ，Ｋが形成される。
そして、切込みＫ，Ｋが形成された石膏ボードＢをテーブル１上で右側（図１において右側）に若干ずらした後、石膏ボードＢをテーブル１上で手で折ることによって、該石膏ボードを切込みから切断する。
【００３３】
このように、本実施の形態によれば、下方の切込刃物３の先端切刃３ｄがテーブル１の上面から石膏ボードＢの厚さより小さく突出しており、上方の切込刃物３の先端切刃３ｄが、石膏ボードＢの上面より下方に位置し、かつ、下方の切込刃物３の先端切刃３ｄから上方に離間しているので、テーブル１の上面に石膏ボードＢを載置したうえで、移動体５を手動によって移動させると移動体５に設けられた上下の切込刃物３，３のそれぞれの先端切刃３ｄ，３ｄが石膏ボードＢの上面と下面に切り込んで行くので、切粉の飛散や刃物の破損を防止して、石膏ボードＢの上下面に正確に切込みを形成できる。
【００３４】
また、切込刃物３が替刃式カッターナイフ３であるので、切込刃物が摩耗しても、カッター刃３ｂを簡単に取り替えることができる。
さらに、替刃式カッターナイフ３，３の先端切刃３ｄ，３ｄが石膏ボードＢの表面（上面、下面）に対して４５度傾斜しているので、石膏ボードＢに切込み易くなり、容易に切込みを形成できる。
【００３５】
また、上下一対の切込刃物３，３が取り付けられた上下一対の取付部６，６が機枠２に移動体５の移動方向と平行に固定されたガイドレール１０，１０に摺動可能に係合しており上下一対の取付部６，６は連結部７によって連結されているので、この連結部７を移動させることによって、上下の切込刃物３，３はガイドレール１０，１０に沿ってスムーズにかつ一体的に移動する。したがって、石膏ボードＢに容易かつ正確に切込みを形成できる。
また、位置決め手段１５によって、移動体５の移動方向と直交する方向における石膏ボードＢの位置決めを行えるので、上下の切込刃物３，３の先端切刃３ｄ，３ｄによって石膏ボードＢの上下面の所定の位置に切込みを形成できる。
【００３６】
（第２の実施の形態）
図８〜図１１は本発明に係る石膏ボード切込機の第２の実施の形態を示すものである。本実施の形態の石膏ボード切込機は、自動的に石膏ボードＢに切込みを形成するものであり、石膏ボードＢが載置されるテーブル２１が設けられた機枠２２と、上下に離間して設けられた一対の固定型の切込刃物３，３と、テーブル２１に載置された石膏ボードＢを、この石膏ボードＢの面方向に移動させる移動手段２３とを備えている。なお、切込刃物３は前記第１の実施の形態の石膏ボード切込機の切込刃物３と同様のものである。
【００３７】
前記テーブル２１は矩形板状に形成されており、その上面を水平にして機枠２２に固定されている。テーブル２１の短手方向ほぼ中央部には、隙間Ｓが設けられている。石膏ボードＢに切込みを形成する場合、前記隙間Ｓを跨ぐようにして、石膏ボードＢがテーブル２１の上面に載置されるようになっている。
【００３８】
前記上方の切込刃物３は、テーブル２１の上方に配置された取付板２４に取り付けられている。この取付板２４は支持体２５によって支持されており、この支持体２５は機枠２２に固定されている。
支持体２５は機枠２２の側部にブラケット２６を介して立設された柱部２５ａと、この柱部２５ａに直交するようにして水平に設けられ、前記テーブル２１の上方まで延在する水平アーム２５ｂと、この水平アーム２５ｂの先端部から下方に延び、さらに水平に延びる略Ｌ字型のＬ型アーム２５ｃとを有しており、Ｌ型アーム２５ｃの先端部に前記取付板２４が固定されている。この取付板２４は前記テーブル２１に設けられた隙間Ｓの上方に位置している。
なお、水平アーム２５ｂは柱部２５ａに連結部材２５ｄを介して連結されており、この連結部材２５ｄは上下方向に位置調整可能となっており、これによって、水平アーム２５ｂは上下方向に位置調整可能となっている。また、連結部材２５ｄに挿通された水平アーム２５ｂは前後方向（石膏ボードＢの幅方向）にも位置調整可能となっている。さらに、Ｌ型アーム２５ｃは水平アーム２５ｂの先端部に連結部材２５ｅを介して連結されており、この連結部材２５ｅに挿通されたＬ型アーム２５ｃは上下方向に位置調整可能となっている。
したがって、支持体２５では、水平アーム２５ｄの高さと前後方向の位置を調整したうえで、Ｌ型アーム２５ｃの上下の位置を調整することによって、前記取付板２４をテーブル２１に設けられた隙間Ｓの上方に位置させることができる。
【００３９】
前記取付板２４はその表面が取付面とされ、該取付面が鉛直面と平行になるようにして配置されている。この取付面には上方の切込刃物３のホルダー３ａが水平面に対して４５度傾斜するようにして固定されている。つまり、図１１に示すように、上方の切込刃物（替刃式カッターナイフ）３は、その先端切刃３ｄがテーブル２１の上面に水平に載置された石膏ボードＢの上面に対して４５度傾斜するようにして、取付板２４の取付面に固定されている。
一方、下方の切込刃物３は取付板２７に取り付けられており、この取付板２７は機枠２に固定されている。切込刃物３はその先端切刃３ｄがテーブル２１の上面に水平に載置された石膏ボードＢの下面に対して４５度傾斜するようにして、取付板２７の取付面に固定されている。
上下一対の切込刃物３，３は、左右方向にずれて配置されており、上方の切込刃物３の先端切刃３ｄは、下方の切込刃物３の先端切刃３ｄより右側、つまり、石膏ボードＢが移動されてくる側に配置されている。したがって、上下の先端切刃３ｄ，３ｄによって石膏ボードＢに切り込む場合、上方の先端切刃３ｄが切込んだ後、下方の先端切刃３ｄが切り込むようになっている。
【００４０】
また、下方の切込刃物３の先端切刃３ｄは、テーブル２１の上面からこの上面に載置された石膏ボードＢの厚さより小さく突出しており、上方の切込刃物３の先端切刃３ｄは、石膏ボードＢの上面より下方に位置し、かつ、下方の切込刃物３の先端切刃３ｄから上方に離間している。
例えば、厚さが１２．５ｍｍの石膏ボードＢの場合、下方の切込刃物３の先端切刃３ｄはテーブル１の上面から４ｍｍ突出しており、上方の切込刃物３の先端切刃３ｄは、石膏ボードＢの上面より４ｍｍ下方に位置し、かつ、下方の切込刃物３の先端切刃３ｄから上方に４．５ｍｍ離間している。
【００４１】
前記移動手段２３は、テーブル２１に載置された石膏ボードＢを、この石膏ボードＢの長さ方向に移動させるものであって、搬送部３０と支持部３１とを備えている。
搬送部３０は、前記切込刃物３，３の下流側（図９において左側）に該切込刃物３，３に近接させて設けられており、下面が開口したケース３０ａと、このケース３０ａ内に設けられた複数の搬送ローラ３０ｂ・・・と、駆動モータ３０ｃと、この駆動モータ３０ｃの回転を搬送ローラに伝達する伝達部３０ｄとを備えている。
搬送ローラ３０ｂは、その回転軸を石膏ボードＢの搬送方向と直交する方向に向けて配置されており、石膏ボードＢの搬送方向に沿って所定間隔で配置されている。搬送ローラ３０ｂ・・・はその下部がケース３０ａの下面から突出しており、テーブル２１に載置された石膏ボードＢの上面に回転しながら接触することによって、該石膏ボードＢを移動（搬送）するようになっている。
【００４２】
前記支持部３１は、機枠２２の側部にブラケット２６を介して立設された柱部３１ａと、この柱部３１ａに直交するようにして水平に設けられ、前記テーブル２１の上方まで延在する水平アーム３１ｂと、この水平アーム３１ｂの先端部から下方に延び、さらに水平に延びる略Ｌ字型のＬ型アーム３１ｃとを有しており、Ｌ型アーム３１ｃの先端部に前記ケース３０ａが固定されている。このケース３０ａは前記テーブル２１に設けられた隙間Ｓの上方に位置している。
なお、水平アーム３１ｂは柱部３１ａに連結部材３１ｄを介して連結されており、この連結部材３１ｄは上下方向に位置調整可能となっており、これによって、水平アーム３１ｂは上下方向に位置調整可能となっている。また、連結部材３１ｄに挿通された水平アーム３１ｂは前後方向（石膏ボードＢの幅方向）にも位置調整可能となっている。さらに、Ｌ型アーム３１ｃは水平アーム３１ｂの先端部に連結部材３１ｅを介して連結されており、この連結部材３１ｅに挿通されたＬ型アーム３１ｃは上下方向に位置調整可能となっている。
したがって、支持部３１では、水平アーム３１ｄの高さと前後方向の位置を調整したうえで、Ｌ型アーム３１ｃの上下の位置を調整することによって、前記ケース３０ａをテーブル２１に設けられた隙間Ｓの上方に位置させることができる。つまり、搬送ローラ３０ｂ・・・をテーブル２１に設けられた隙間Ｓの上方に位置させることができる。
【００４３】
また、前記テーブル２１には、このテーブル２１に載置される石膏ボードＢの移動方向と直交する方向における位置決めを行う位置決め手段３５が設けられている。
すなわち、テーブル２１の一方の縁部には、シリンダ３５ａ，３５ａがテーブル２１の長手方向に離間して配置されており、該シリンダ３５ａ，３５ａはテーブル２１の側面に固定されている。シリンダ３５ａ，３５ａのピストンロッド３５ｂ，３５ｂは、テーブル２１の幅方向に進退可能となっており、該ピストンロッド３５ｂ，３５ｂの先端部には、定規部３５ｃが取り付けられている。
定規部３５ｃはテーブル２１の長手方向に長尺な角材で形成されており、その下面はテーブル２１に接触しており、ピストンロッド３５ｂ，３５ｂを進退させることによって、テーブル２１の幅方向に移動するようになっている。
そして、この定規部３５に石膏ボードＢの一方の側端面を当接することによって、該石膏ボードＢの幅方向（石膏ボードの移動方向と直交する方向）の位置決めを行うようになっている。
【００４４】
次に上記構成の石膏ボード切込機によって、厚さ１２．５ｍｍの石膏ボードＢに切込みを入れる方法について説明する。
まず、上下の切込刃物３の上下の位置を調整する。すなわち、下方の切込刃物３の先端切刃３ｄをテーブル１の上面から４ｍｍ突出させ、上方の切込刃物３の先端切刃３ｄを下方の切込刃物３の先端切刃３ｄから上方に４．５ｍｍ離間させる。この場合、切込刃物３のホルダー３ａの先端からのカッター刃３ｂの突出量を操作部３ｃをスライドさせることによって行う。
【００４５】
次に、位置決め手段３５のピストンロッド３５ｂ，３５ｂを伸ばして、定規部３５ｃを所定の位置に位置決めする。つまり、定規部３５ｃに石膏ボードＢの一方の側端面を当接した際に、石膏ボードＢの切込み位置に上下の切込刃物３，３の先端切刃３ｄ，３ｄが位置するようにして、定規部３５ｃをセットする。
【００４６】
次に、切込刃物３，３より右側、つまり、前記移動手段２３と反対側に位置するテーブル２１に、石膏ボードＢを載置するとともに、この石膏ボードＢの一方の側端面を前記定規部３５ｃに当接する。
次に、搬送部３０の搬送ローラ３０ｂ・・・を回転させたうえで、石膏ボードＢを定規部３５ｃに沿わせて、テーブル２１の上面を切込刃物３，３に向けて移動させる。この移動は作業者が石膏ボードＢを手で押すことによって行う。
【００４７】
石膏ボードＢが切込刃物３，３の位置まで移動してくると、この切込刃物３，３の先端切刃３ｄ，３ｄが石膏ボードＢの一方の端面側から石膏ボードＢの上下面にそれぞれ切込んでいく。この場合、上方の先端切刃３ｄが切込んだ後、下方の先端切刃３ｄが切り込む。したがって、石膏ボードＢに最初に切り込む際の切削抵抗を抑えることができる。
石膏ボードＢの先頭が搬送部３０の搬送ローラ３０ｂまで移動すると、この搬送ローラ３０ｂが石膏ボードＢの上面に回転しながら接触することによって、石膏ボードＢが自動的に定規部３５ｃに沿って移動していく。この移動に伴って、上下の先端切刃３ｄ，３ｄが石膏ボードＢにその長手方向に沿って切り込んでいき、石膏ボードＢの上下面に深さ４ｍｍでかつ、石膏ボードＢの長手向全体に延在する切込みが形成される。
そして、切込みが形成された石膏ボードＢをテーブル２１上で手で折ることによって、該石膏ボードＢを切込みから切断する。
【００４８】
このように、本実施の形態によれば、下方の切込刃物３の先端切刃３ｄがテーブル２１の上面から石膏ボードＢの厚さより小さく突出しており、上方の切込刃物３の先端切刃３ｄが、石膏ボードＢの上面より下方に位置し、かつ、下方の切込刃物３の先端切刃３ｄから上方に離間しているので、テーブル２１の上面に石膏ボードＢを載置したうえで、移動手段２３によって石膏ボードＢを移動させると上下の切込刃物３，３のそれぞれの先端切刃３ｄ，３ｄが石膏ボードＢの上面と下面に切り込んで行くので、切粉の飛散や刃物の破損を防止して、石膏ボードＢの上下面に正確に切込みを形成できる。
【００４９】
また、切込刃物３が替刃式カッターナイフ３であるので、切込刃物が摩耗しても、カッター刃３ｂを簡単に取り替えることができる。
さらに、替刃式カッターナイフ３，３の先端切刃３ｄ，３ｄが石膏ボードＢの表面（上面、下面）に対して４５度傾斜しているので、石膏ボードＢに切込み易くなり、容易に切込みを形成できる。
加えて、上下一対の切込刃物３，３は、左右方向にずれて配置されており、上方の切込刃物３の先端切刃３ｄは、下方の切込刃物３の先端切刃３ｄより右側、つまり、石膏ボードＢが移動されてくる側に配置されているので、上下の先端切刃３ｄ，３ｄによって石膏ボードＢに切り込む場合、上方の先端切刃３ｄが切込んだ後、下方の先端切刃３ｄが切り込む。したがって、石膏ボードＢに最初に切り込む際の切削抵抗を抑えることができ、よって、先端切刃３ｄ，３ｄの切込み当初の破損を防止できる。
【００５０】
また、位置決め手段３５の定規部３５ｃによって、石膏ボードＢのその移動方向と直交する方向の位置決めを行えるので、上下の切込刃物３，３の先端切刃３ｄ，３ｄによって石膏ボードＢの上下面の所定の位置に切込みを石膏ボードＢの長手方向に沿って形成できる。
【００５１】
なお、本実施の形態では、移動手段２３によって石膏ボードＢを移動させながら、上下の切込刃物３，３によって石膏ボードＢに切込みを形成したが、これに代えて、上下の切込刃物３，３を石膏ボードＢの長手方向に移動させながら、該石膏ボードＢに切込みを形成してもよい。このような場合、移動手段２３が必要ない。また、切込刃物３，３を移動させる場合、前記支持体２５を機枠２２に石膏ボードＢの長手方向に移動可能に取り付けるとともに、下方の切込刃物３が取り付けられている取付板２７を支持体２５に連結すればよい。取付板２７を支持体２５に連結する場合、例えば、テーブル２１の下方に別途連結材を配置し、この連結材の一端部を支持体に固定し、他端部に取付板２７を固定すればよい。
【符号の説明】
【００５２】
Ｂ  石膏ボード
１，２１  テーブル
１，２２  機枠
３  切込刃物
３ｂ  カッター刃
３ｄ  先端切刃
４，２３  移動手段
５  移動体
１０  ガイドレール
１５，３５  位置決め手段
３０  搬送部
３０ｂ  搬送ローラ
３１  支持部
【図１】
2010207995.tif 000003
【図２】
2010207995.tif 000004
【図３】
2010207995.tif 000005
【図４】
2010207995.tif 000006
【図５】
2010207995.tif 000007
【図６】
2010207995.tif 000008
【図７】
2010207995.tif 000009
【図８】
2010207995.tif 000010
【図９】
2010207995.tif 000011
【図１０】
2010207995.tif 000012
【図１１】
2010207995.tif 000013